(57)【要約】【課題】  三相交流電線などの被検出体が設置された現場での対応性がよく、いずれの現場においても表示が見やすい、製作コスト的に有利な検出表示ユニット。【解決手段】  三相交流電線１に装着される検出ユニット２０と、検出ユニット２０上に着脱可能に電気的機械的接続される表示ユニット３０から成る複合ユニット１０で、検出ユニット２０に対して表示ユニット３０を９０°角度で取付方向可変に連接する。三相交流電線１か鉛直な縦方向か水平な横方向かのいずれであっても、表示ユニット３０の表示部３２が常に人が見やすい正常な方向性で設置される。【選択図】図１
2005127788.tif 000002
【特許請求の範囲】
【請求項１】
被検出体に装着される検出ユニットと、この検出ユニットに着脱可能に電気的機械的接続され、検出ユニットによる被検出体の検出情報を視覚表示する表示部を表面に固設した表示ユニットとを備え、
前記検出ユニットと表示ユニットを、検出ユニットに対する表示ユニットの取付方向が略９０°異なる複数方向のいずれか一方向に選択的に取付可能にしたことを特徴とする検出表示ユニット。
【請求項２】
前記検出ユニットに被検出体に対する取付方向性を一定に規制する取付方向規制手段を固設したことを特徴とする請求項１に記載の検出表示ユニット。
【請求項３】
前記検出ユニットと表示ユニットの相互取付部分に、検出ユニットに対して表示ユニットの表示部の取付方向が略９０°異なる複数方向のいずれの一方向でも両ユニットを同じ配線パターンで電気的接続する接続端子を配備したことを特徴とする請求項１又は２に記載の検出表示ユニット。
【請求項４】
前記検出ユニットが複数の電圧検出用変成器と単数の零相電流検出用変流器を有し、各電圧検出用変成器の電圧検出用穴に被検出体としての三相交流電線の各単線を挿通し、前記三相交流電線の全線を前記零相電流検出用変流器の鉄心で囲うことを特徴とする請求項１〜３のいずれか１記載の検出表示ユニット。
【請求項５】
前記表示ユニットが、前記検出ユニットで検出された電気量から三相交流電線の漏電電流、電力量を含む複数種類の情報を表示部に表示させ、外部の上位コンピュータに通信する演算処理回路を有することを特徴とする請求項４に記載の検出表示ユニット。
【請求項６】
前記表示ユニットに、前記三相交流電線の負荷方向に対する前記検出ユニットの方向性を負荷方向又は負荷方向と逆方向のいずれかに選択して指定する負荷方向指定手段を配設したことを特徴とする請求項４又は５記載の検出表示ユニット。
【請求項７】
前記表示ユニットが、前記検出ユニットで検出した電圧と電流の位相差から三相交流電線の負荷方向を判断する負荷方向検知部と、この負荷方向検知部で判断された負荷方向に基づいて検出ユニットで検出した電気量の情報を必要に応じ適正化して表示部に表示させ、外部の上位コンピュータに通信する演算処理回路を有することを特徴とする請求項４又は５記載の検出表示ユニット。
【発明の詳細な説明】
【技術分野】
【０００１】
本発明は、電線などの被検出体で発生する電流や電圧、さらには温度、磁力、エアー圧などの変量や、被検出体の形状変化などの状況を検出して、この検出した情報を液晶パネルなどで視覚表示する検出表示ユニットに関する。
【背景技術】
【０００２】
三相三線式や単相三線式、三相四線式の交流電線に装着される計測機器は、交流電線から電流と電圧を検出する検出器（検出ユニット）と、検出した電流と電圧の電気量（変量）から漏洩電流や電力量などの情報を算出する演算処理回路と、演算処理回路で算出された情報を数値やグラフなどにして表示する表示器（表示ユニット）を備える（例えば、特許文献１参照）。この計測機器は、検出器と演算処理回路と表示器を配線し、共通のハウジングに収納して製作される。計測機器に組込まれた表示器は、電気的変量の情報を視覚表示する液晶表示パネルやＬＥＤ集合体パネルなどで、この種の表示器は三相交流電線が設置された屋内などの現場で漏電電流などの異常発生の監視に有効であり、異常発生に対する速やかな対処を可能にする。
【０００３】
また、三相交流電線の電流や電圧を検出する検出器は、平行な三線（又は四線）の三相交流電線の各単線を貫通させる穴を備えた電圧検出用変成器と、三相交流電線の全線を囲う零相電流検出用変流器を有し、この変成器と変流器をユニット化して検出器を構成している（例えば、特許文献２参照）。三線の三相交流電線の場合、変成器は三相交流電線の各単線が貫通する３つの電圧検出用穴を平行に有し、これら穴を形成する環状の鉄心に二次巻線を巻回して電圧検出用変成器を構成し、３つの穴を囲む１つの環状の鉄心に二次巻線を巻回して零相電流検出用変流器を構成している。この変成器と変流器を樹脂モールドして一体化した検出器を現場の三相交流電線に、三相交流電線の各単線を検出器の３つの穴に貫通させた状態で装着している。
【特許文献１】特開２００３−１７７１５４号公報（第００５９段）
【特許文献２】特開２０００−３３１８５６号公報（図１、図２）
【発明の開示】
【発明が解決しようとする課題】
【０００４】
工場や配電設備、一般家庭などの現場に設置された三相交流電線に装着される上記計測機器は、その表示器の表示を現場の作業員が見ることで現場での対処ができる有利さがあるが、現場の状況によっては表示器の表示が見ずらくなる場合がある。
【０００５】
例えば、建造物の壁に三相交流電線の三線が鉛直な縦方向に平行に設置されている場合、計測機器における検出器の電圧検出用用穴の中心線が縦方向で、表示器の表示が横向きであれば、検出器の穴に縦方向の三相交流電線を挿通して計測機器を取付けたときに、表示器の表示が正常な横向きであるから見やすい。しかし、三相交流電線が建造物の壁に水平な横方向に設置されて、この三相交流電線に同じ計測機器を取付ける場合、検出器の穴に横方向の三相交流電線を挿通させるために計測機器全体を左または右方向に９０°回転させねばならず、この回転で表示器の表示が正常な横方向から縦方向に変わり、表示が見ずらくなる。そこで、縦方向の三相交流電線に専用の計測機器と、横方向の三相交流電線に専用の計測機器の２種類の計測機器を製作して、現場に応じて使い分けるようにしているが、これでは同じ機能を有する計測機器の機種が増えて製作コストが高くなり、種類の異なる計測機器の保守管理が煩雑となる。
【０００６】
また、三相交流電線においては負荷方向、ガス管においてはガス流方向など被検出体の種類によっては決められた方向性があり、この方向性に合わせて計測機器を決められた方向で取付けなければならないことがあるが、計測機器を決められた方向で取付けると表示が見ずらくなることがある。
【０００７】
本発明は、かかる実情に鑑みてなされたもので、被検出体の設置された現場での対応性がよく、いずれの現場においても表示が見やすい、製作コスト的に有利な検出表示ユニットを提供することを目的とする。
【課題を解決するための手段】
【０００８】
本発明は上記目的を達成するため、被検出体に装着される検出ユニットと、この検出ユニットに着脱可能に電気的機械的接続され、検出ユニットによる被検出体の検出情報を視覚表示する表示部を表面に配設した表示ユニットとを備え、これら検出ユニットと表示ユニットを、検出ユニットに対する表示ユニットの取付方向が略９０°異なる複数方向のいずれか一方向に選択的に取付可能にしたことを特徴とする。
【０００９】
ここで、被検出体は、交流電線や直流電線、ヒーター、高圧エアー管などの電流や電圧、温度、エアー圧などの電気的又は機械的な変量が検出される対象物である。被検出体の変量を電気信号で検出する検出ユニットは、電流や電圧、温度などの変量を直接に検出する検出素子を１種類、或いは、複数種類をハウジングに収納して製作した独自性のある製品で、この検出ユニットと別に製作された独自性のある表示ユニットが着脱可能に連接されて、複合製品の検出表示ユニットが製作される。表示ユニットの表示部は、液晶パネルや多数のＬＥＤをマトリックス状に配置したＬＥＤ集合体パネルなどで構成され、表示ユニットのハウジングの表面一部に固定される。表示部の形状は、横長矩形や多角形、円形など多種多様が可能で、横長矩形の場合は横方向に表示が見やすくしてあり、以下、この表示が見やすい方向を必要に応じて表示方向と称する。検出ユニットに対して表示ユニットを角度９０°で取付方向を変更させることで、表示方向が横方向と、この横方向と直交する縦方向のいずれか一方向に変えられる。このような表示方向の変更は、人が見やすいことを前提に行われ、したがって、被検出体や検出ユニットの方向性が異なるいずれの方向に変わっても、表示ユニットの表示部を人が見やすくするように対応させることができる。
【００１０】
本発明の検出表示ユニットは、検出ユニットに被検出体に対する取付けの方向性を一定に規制する取付方向規制手段を固設した構造とすることができる。この取付方向規制手段は、被検出体の形状で決まる定形の穴や切欠き、凹部、凸部、凹凸部が有効で、被検出体が長尺な電線などの線材で、その一部に検出ユニットを取付けるような場合の取付方向規制手段は、線材の一部が貫通する穴や、線材の一部が嵌挿される凹溝が適用できる。被検出体に対して検出ユニットの方向性が一定に規制されることで、検出ユニットに連接される表示ユニットの表示部の方向性が被検出体に対して０°と９０°の複数方向（９０°ずつの四方向）に限られ、この複数方向のいずれかが選択できる。
【００１１】
また、本発明においては、検出ユニットと表示ユニットの互いに連接される相互取付部分に、検出ユニットに対して表示ユニットの表示部の取付方向が略９０°異なる複数方向のいずれの一方向でも両ユニットを同じ配線パターンで電気的接続する接続端子を配備することができる。
【００１２】
ここでの両ユニットの相互取付部分は、互いに接近して連接される対向する面の重なり部分であり、この相互取付部分に複数対の接続端子を固定して、両ユニットの連接動作時に対応する接続端子同士を電気的接続させる。両ユニットの接続端子は、電気的接続だけする端子の他、雄型端子と雌型端子を使用して電気的接続と同時に機械的接続もする差込み式端子構造も可能である。両ユニットの相互取付部分に接続端子を配備することで、両ユニットを連接した後で配線する手間が省略でき、現場の被検出体に検出表示ユニットを取付ける作業性が良くなる。また、接続端子が両ユニット間の相互取付部分内に隠すことができて、検出表示ユニットの外観を良好なものにする。
【００１３】
また、本発明は、検出ユニットが複数の電圧検出用変成器と単数の零相電流検出用変流器を有し、各電圧検出用変成器の電圧検出用穴に被検出体としての三相交流電線の各単線を挿通し、三相交流電線の全線を零相電流検出用変流器の鉄心で囲う構造とすることができる。
【００１４】
また、三相交流電線用計器としての検出ユニットを持つ検出表示ユニットにおいては、表示ユニットが、検出ユニットで検出された電気量から三相交流電線の漏電電流、電力量を含む複数種類の情報を算出して表示部に表示させ、外部の上位コンピュータに通信する演算処理回路を有する構造とすることができる。
【００１５】
ここでの検出ユニットは、既存の三相交流電線用検出器を適用することができ、また、この検出器における電圧検出用変成器を樹脂モールド製品とし、この変成器に別体に製作された零相電流検出用変流器を嵌合させる構造とすることができる。このような変成器と変流器を別体に製作して組合わせた検出ユニットは、変成器と変流器の分解が容易で、検出機器類のメンテナンスを有利にする。また、三相交流電線用表示ユニットは、三相交流電線が設置された現場で漏電電流などの表示をすると共に、現場から離れた外部の上位コンピュータに情報を伝送して、上位コンピュータによる中央監視システムを構築する。この表示ユニットにおける演算処理回路はＣＰＵで、このＣＰＵに液晶パネルなどの表示部がインターフェースを介して接続される。また、ＣＰＵや表示部は、三相交流電線から給電され、この給電のための電源回路を表示ユニット内に組込むことができる。
【００１６】
また、本発明においては、表示ユニットに、三相交流電線の負荷方向に対する検出ユニットの方向性を負荷方向又は負荷方向と逆方向のいずれかに選択して指定する負荷方向指定手段を配設することができる。
【００１７】
ここでの負荷方向指定手段は、表示ユニット表面に設置したスイッチ類の手動操作手段で、三相交流電線に検出表示ユニットをセットして、三相交流電線の負荷方向に対する検出ユニットの方向性が手動で変更できるようにする。このようにすることで検出表示ユニットの望ましい使用の選択ができ、三相交流電線の負荷方向の変動に自在に対応することができる。
【００１８】
また、本発明においては、表示ユニットが、検出ユニットで検出した電圧と電流の各信号の位相差から三相交流電線の負荷方向を判断する負荷方向検知部と、この負荷方向検知部で判断された負荷方向に基づいて検出ユニットで検出した電気量の情報を必要に応じ適正化して表示部に表示させ、外部の上位コンピュータに通信する演算処理回路を有する構造にすることができる。
【００１９】
この場合、負荷方向検知部が三相交流電線に検出ユニットが負荷方向に対して望ましい順方向に取付けられていると判断すると、ＣＰＵが検出ユニットで検出された電気量の情報をそのまま表示部に表示させ、外部コンピュータに通信する。また、負荷方向検知部が三相交流電線に検出ユニットが負荷方向に対して逆方向に取付けられていると判断すると、ＣＰＵがソフト的に検出ユニットで検出された電気量の情報が適正か不適正かどうかを判断し、不適正と判断すると電気量情報を位相反転などして適正化して表示部に表示させ、外部コンピュータに通信する。このようにすることで三相交流電線の負荷方向に対して検出ユニットを順方向、逆方向のいずれの方向で取付けても、常に正確な情報表示、情報通信ができ、また、三相交流電線に検出ユニットをその方向性を気にすることなく取付けることができて取付作業性が良くなり、取付方向の間違いがなくなる。
【発明の効果】
【００２０】
本発明の検出表示ユニットによれば、三相交流電線などの被検出体に装着した検出ユニットに対して表示ユニットの方向性が９０°ずつの複数方向のいずれかに自在に切換えることができるため、様々な方向に延びる被検出体の方向性に対して表示ユニットの表示方向を人が見やすい方向に選択できる実用上に優れた効果がある。また、様々な方向性で現場に設置された複数種類の被検出体に対して単一種類の検出表示ユニットを共通に使用することができて、汎用性に優れる。
【００２１】
さらに、検出ユニットと表示ユニットが着脱可能な別ユニット構造のため、検出ユニットと表示ユニットのいずれか一方を複数種類の検出表示ユニットに共通の標準ユニットとして製作し、他方を各種類専用の専用ユニットとして製作して、標準ユニットに選択された専用ユニットを組合わせるといった仕様が可能となり、少量多品種の検出表示ユニットの製作が有利に展開できる効果がある。
【発明を実施するための最良の形態】
【００２２】
以下、本発明の実施の形態を添付図面を参照して説明する。
【００２３】
図１（Ａ）（Ｂ）は、被検出体である三線式三相交流電線１（鎖線で示す）に装着される検出表示ユニット１０の異なる二形態を示す正面図であり、この異なる二形態の側面図が図２（Ａ）（Ｂ）である。検出表示ユニット１０は、交流電線１に直接に装着される検出ユニット２０と、検出ユニット２０上に着脱可能に取付けた表示ユニット３０を有し、検出ユニット２０と表示ユニット３０が電気的かつ機械的に連接される。図１では一方の表示ユニット３０が同一方向で、他方の検出ユニット２０が０°と９０°の異なる二方向で図示されている。図１（Ａ）の鎖線で示す三相交流電線１は、建造物の壁に鉛直な縦方向に設置された平行な三線であり、図１（Ｂ）の三相交流電線１は水平な横方向に設置された平行な三線である。
【００２４】
検出ユニット２０は、三相交流電線１の電圧、零相電流などを検出して表示ユニット３０に出力する計器である。表示ユニット３０は、検出ユニット２０から入力された電気信号の情報に基づいて三相交流電線１における電流、漏洩電流、電圧、電力、無効電力、力率、周波数、デマンド電流、電力量、無効電力量を計測し、必要な情報を表示部３２で視覚表示する。両ユニット２０、３０の配線の概要を図３に示し、両ユニット２０、３０の具体的外形を図４の分解斜視図に示す。
【００２５】
図４に示される検出ユニット２０は、横長矩形ボックスのハウジング２１を備える。ハウジング２１は樹脂成形品で、下部両端に取付座２１ａと上部両側に支持片２１ｂを一体に突設している。ハウジング２１の中央部にハウジング２１を貫通する３つの平行な円形穴２３が横一列に形成され、各穴２３に三相交流電線１が一本ずつ挿通される。穴２３は、三相交流電線１に対して検出ユニット２０の取付けの方向性を一定に規制する取付方向規制手段として使用される。つまり、穴２３に三相交流電線１を挿通することで、平行な三線の三相交流電線１に対して直交方向だけに方向規制されてハウジング２１が取付けられる。
【００２６】
ハウジング２１の上面は横長の長方形で、この上面の横方向両端部の中央に一対の取付穴２４が形成される。また、ハウジング２１の上面部分と表示ユニット３０の下面中央部は互いに重合されて電気的機械的接続される相互取付部分１１で、ハウジング２１側の相互取付部分１１の中央部に第１接続端子２５と第２接続端子２６が設置される。図４における水平姿勢のハウジング２１の上面の横長方向をＸ方向、このＸ方向と直交する水平方向をＹ方向とすると、第１接続端子２５は一対がＸ方向に並べて設置され、第２接続端子２６は一対がＹ方向に並べて設置される。一対の第１接続端子２５と一対の第２接続端子２６は、ハウジング２１の上面の中心点から同距離にあり、この中心点を中心にハウジング２１を横に９０°回転させると、第１接続端子２５と第２接続端子２６の位置が互いに入れ代わる。
【００２７】
図４に示される表示ユニット３０は、正方形ボックス形状のハウジング３１を備える。ハウジング３１は樹脂成形品で、上面の中央部に横長矩形の表示部３２を有する。表示部３２は液晶パネルで構成され、横長方向に表示が見やすくしてある。正方形のハウジング３１の４辺の各中央に縦方向に切欠き３３を有し、図４でＹ方向２辺の切欠き３３の底に第１ねじ挿通穴３５が形成され、Ｘ方向２辺の切欠き３３の底に第２ねじ挿通穴３６が形成される。一対の第１ねじ挿通穴３５と一対の第２ねじ挿通穴３６は、ハウジング３１の下面の中心点から等距離にあり、一対の第１ねじ挿通穴３５の間隔と一対の第２ねじ挿通穴３６の間隔は同一で、この間隔は検出ユニット２０の一対の取付穴２４の間隔に一致する。また、ハウジング３１の下面中央部は検出ユニット２０との相互取付部分であり、この下面中央部にＸ方向に並べて一対の接続端子（図示せず）が設置される。この一対の接続端子は、検出ユニット２０の一対の第１接続端子２５、又は、第２接続端子２６に着脱可能に電気的機械的接続する。
【００２８】
図４は、検出ユニット２０に真上から表示ユニット３０を一対の取付ねじ３７で取付ける状態が示される。検出ユニット２０上に表示ユニット３０を設置して、一対ずつの第１ねじ挿通穴３５と取付穴２４を合致させ、第１ねじ挿通穴３５から取付穴２４に取付ねじ３７を挿通し、取付穴２４の内部のねじ部（図示せず）に取付ねじ３７を締め付けることで、両ユニット２０、３０が連結されて一体となる。このとき、表示ユニット３０の下面の図示しない一対の接続端子が検出ユニット２０の一対の第１接続端子２５に接続されて、両ユニット２０、３０が所定のパターンで配線され、検出表示ユニット１０が組立てられる。
【００２９】
図４の状態にある表示ユニット３０をＸＹ平面で９０°回転させて、検出ユニット２０上に設置すると、一対の第２ねじ挿通穴３６が対応する一対の取付穴２４と合致し、第２ねじ挿通穴３６から取付穴２４に取付ねじ７を挿通して締め付けることで、両ユニット２０、３０が連接され一体となる。このとき、表示ユニット３０の下面の図示しない一対の接続端子が検出ユニット２０の一対の第２接続端子２６に接続されて、両ユニット２０、３０が表示ユニット３０を回転させる前の場合と同じパターンで配線されて、検出表示ユニット１０が組立てられる。
【００３０】
検出ユニット２０と表示ユニット３０の配線の具体例を図３に示す。検出ユニット２０は、三相交流電線１の電圧を検出する変成器４０と零相電流を検出する変流器５０を共通のハウジング２１内に組込んで構成される。表示ユニット３０は、検出ユニット２０で検出された電流電圧変量から三相交流電線１の漏電電流、電力量などの複数種類の情報を演算する演算処理回路６１と、演算処理回路６１で算出されたデータを表示部３２で表示させるインターフェース６２と、演算処理回路６１に手動で各種の指令、指定をするための操作手段６３及びそのインターフェース６４と、演算処理回路６１で算出されたデータを外部の上位コンピュータ６５に通信するドライバー６６とその端子６７と、これら各種の回路要素の制御電源回路６８及びその電源端子６９を有する。操作手段６３は複数のボタンスイッチ類で構成され、その内の例えば１つが負荷方向指令手段６３ａである。負荷方向指令手段６３ａは、三相交流電線１に検出表示ユニット１０を取付けた後で、三相交流電線１の負荷方向に対する検出表示ユニット１０の取付方向性を負荷方向と同じ順方向にするか、負荷方向と逆方向にするか自在に選択する手動操作スイッチで、これの動作内容は後述する。
【００３１】
図３に示される検出ユニット２０における変成器４０と変流器５０の具体例を、図５と図６に示す。図５は等価回路図で、３つの変成器４０の各々は、電圧検出用穴２３を囲う環状の鉄心４１に二次巻線４２を巻回して構成される。変流器５０は、３つの穴２３を囲う環状の鉄心５１に二次巻線５２を巻回して構成される。３つの変成器４０が図６に示すように外装樹脂４３でモールドされて一体化され、外装樹脂４３を貫通して３つの穴２３が横一列に形成される。外装樹脂４３の外周に合わせて環状の変流器５０が製作され、この変流器５０が外装樹脂４３の外周に嵌挿される。このように変成器４０と変流器５０を別体に製作することで検出ユニット２０の分解、修理、部品交換などのメンテナンスが容易になる。
【００３２】
次に、上記実施の形態の使用例を説明する。
【００３３】
図１（Ａ）に示すように縦方向の三相交流電線１に検出表示ユニット１０を取付ける場合、図４に示すように検出ユニット２０のハウジング２１に表示ユニット３０のハウジング３１をその第１ねじ挿通穴３５を使ってねじ止めする。この検出表示ユニット１０の検出ユニット２０の穴２３に縦方向の三相交流電線１を挿通して、検出ユニット２０のハウジング２１の両端に突出する取付座２１ａを三相交流電線１が敷設された壁などにねじ止めする。また、縦方向の三線交流電線１に検出ユニット２０を取付けてから、検出ユニット２０に表示ユニット３０をねじ止めすることも可能である。このような両ユニット２０、３０の連接において、検出ユニット２０のハウジング２１に形成した支持片２１ｂは表示ユニット３０のハウジング３１を下面から支えて、安定した取付けを可能にする。
【００３４】
図１（Ａ）の場合、縦方向の三相交流電線１に対して検出表示ユニット１０における表示ユニット３０の横長矩形の表示部３２が水平な横方向に方向規制されているので、三相交流電線１が敷設されている現場で表示部３２が見やすくなり、作業員による現場作業がしやすくなる。
【００３５】
図１（Ｂ）に示すように水平な横方向の三相交流電線１に検出表示ユニット１０を取付ける場合は、図４に示す表示ユニット３０を水平方向に９０°回転させて、ハウジング３１の一対の第２ねじ挿通穴３６を使って検出ユニット２０上に表示ユニット３０を連接する。この検出表示ユニット１０の検出ユニット２０を図１で上下に９０°回転させて、検出ユニット２０の横向きになった穴２３に横方向の三相交流電線１を挿通して、検出ユニット２０を三相交流電線１が敷設された壁などにねじ止めすると、図１（Ｂ）に示すように、結果的に表示ユニット３０が図１（Ａ）と同じ方向性で取付けられることになる。したがって、この場合も、表示ユニット３０の横長矩形の表示部３２が水平な横方向に方向規制されて、三相交流電線１が敷設されている現場で表示部３２が見やすくなり、作業員による現場作業がしやすくなる。
【００３６】
以上のような検出表示ユニット１０が装着される三相交流電線１の壁への敷設方向は、鉛直な縦方向と水平な横方向がほとんどであり、検出ユニット２０と表示ユニット３０を９０°異なる二方向間だけで相対回転可能に連接することが実用的である。また、三相交流電線１は、電力量によって線径や線間が大小異なる複数種類が存在することから、三相交流電線１の種類に対応したサイズの検出ユニットを複数種類製作することができる。この場合、表示ユニットとの電気的機械的接続部分を同一構造に設計することで、複数種類の検出ユニットに共通の１種類の表示ユニットを組合わせることができる。つまり、複数種類の検出表示ユニットの表示ユニットを共通化することができ、このようにすることで多品種の検出表示ユニットの製作コストを低減し、保守管理を簡単にすることができる。
【００３７】
三相交流電線１が例えば図７に示すＲ、Ｓ、Ｔ相の配線パターンで壁に敷設され、この三相交流電線１の図７鎖線の位置Ｐ１、Ｐ２、Ｐ３で示す３箇所のいずれかに検出表示ユニット１０を設置する場合、１つの位置Ｐ１での負荷方向は図７右方向となり、他の１つの位置Ｐ２での負荷方向は図７左方向となる。この両位置Ｐ１、Ｐ２に検出表示ユニット１０を同じ方向性で取付けると、両位置Ｐ１、Ｐ２での電気量表示が正極表示と負極表示と相違することがある。このような場合、例えば位置Ｐ１で正極表示していた検出表示ユニット１０を同じ方向性で位置Ｐ２に移動させたときに、表示ユニット３０の負荷方向指定手段６３ａで位置Ｐ１のときと逆方向に負荷方向をソフト的に指定すると、位置Ｐ２でも正極表示となり、電気量の情報管理がし易くなる。このような負荷方向の指定は、図７の別の位置Ｐ３に於いても任意に行える。
【００３８】
次に、図８に示す実施の形態を説明すると、これは表示ユニット３０に検出ユニット２０で検出した電圧と電流の各信号の位相差から三相交流電線１の負荷方向を判断する負荷方向検知部７１を演算処理回路６１に直結して配備している。この場合の演算処理回路６１は、負荷方向検知部７１で判断された負荷方向に基づいて検出ユニット２０で検出した電気量の情報を必要に応じソフト的に適正化して表示部３２に表示させ、外部の上位コンピュータ６５に通信する機能を有する。
【００３９】
例えば、図７の位置Ｐ１に取付けた検出表示ユニット１０が電気量情報を正極表示し、この検出表示ユニット１０を位置Ｐ１から位置Ｐ２に方向性を変えることなく移動させた場合に、何もしないと負極表示に変わることがある。検出表示ユニット１０が位置Ｐ１から位置Ｐ２に移動したとき、負荷方向検知部７１が三相交流電線１の電圧と電流の位相差から負荷方向が逆方向になったことを検出し、負荷方向が逆方向である判断をして演算処理回路６１に電気量情報の極性を反転させる信号を出力する。この出力で演算処理回路６１が表示部３２に電気量情報を正極表示させ、その正極表示の情報を上位コンピュータ６５に通信する。このようにすることによっても、電気量の情報管理がし易くなる。
【００４０】
尚、本発明の検出表示ユニットは、上記した実施の形態に限定されるものではなく、本発明の要旨を逸脱しない範囲内において種々変更を加え得ることは勿論である。
【図面の簡単な説明】
【００４１】
【図１】（Ａ）及び（Ｂ）は、本発明に係る検出表示ユニットの実施の形態を示す、異なる二方向での正面図である。
【図２】（Ａ）は図１（Ａ）での側面図、（Ｂ）は図１（Ｂ）での側面図である。
【図３】図１の検出表示ユニットの回路の概要を示す配線図である。
【図４】図１の検出表示ユニットの分解斜視図である。
【図５】検出ユニットの等価回路図である。
【図６】検出ユニットの要部の概要を示す分解斜視図である。
【図７】三相交流電線の配線パターン図である。
【図８】図１の検出表示ユニットの回路の他の概要を示す配線図である。
【符号の説明】
【００４２】
１    被検出体、三相交流電線
１０    検出表示ユニット
１１    相互取付部分
２０    検出ユニット
２１    ハウジング
２３    穴
２４    取付穴
２５    第１接続端子
２６    第２接続端子
３０    表示ユニット
３１    ハウジング
３２    表示部
３５    第１ねじ挿通穴
３６    第２ねじ挿通穴
４０    変成器
５０    変流器
６１    演算処理回路
６３ａ    負荷方向指定手段
６５    上位コンピュータ
７１    負荷方向検知部
【図１】
2005127788.tif 000003
【図２】
2005127788.tif 000004
【図３】
2005127788.tif 000005
【図４】
2005127788.tif 000006
【図５】
2005127788.tif 000007
【図６】
2005127788.tif 000008
【図７】
2005127788.tif 000009
【図８】
2005127788.tif 000010